(57)【要約】【課題】着用感が良好であり、外観に違和感がなく、確実にサポート機能が付与されるフィットネスウエアとその製造方法を提供する。【解決手段】伸縮性を有し体表面に密着して着用される水着１０の表地１２に、緊締力を付加する高張力のサポート地１６を有する。表地１２とサポート地１６とは、合成樹脂の接着剤シート１８で、全面に一体に貼り合わせて成る。接着剤シート１８は、合成樹脂の不織布である。表地１２とサポート地１６とは、同種の合成繊維から成る。【選択図】      図１
2004244781.tif 000002
【特許請求の範囲】
【請求項１】
伸縮性を有し体表面に密着して着用されるフィットネスウエアにおいて、上記フィットネスウエアの表地に緊締力を付加する高張力のサポート地を、合成樹脂の接着剤シートで表地全面に一体に貼り合わせて成ることを特徴とするフィットネスウエア。
【請求項２】
上記合成樹脂の接着剤シートは、不織布のシートであり、上記表地とサポート地との間に積層されて、熱圧着されて成ることを特徴とする請求項１記載のフィットネスウエア。
【請求項３】
上記表地とサポート地とは、同種の合成繊維から成り、上記接着剤シートにより熱圧着されて成ることを特徴とする請求項１または２記載のフィットネスウエア。
【請求項４】
伸縮性を有し体表面に密着して着用されるフィットネスウエアの製造方法において、上記フィットネスウエアに貼り付けられるサポート地と合成樹脂の不織布から成る接着剤シートとを重ね合わせて、所定の形状にレーザー光により裁断するとともに、上記裁断したサポート地と接着剤シートの裁断端面を上記レーザー光により互いに熱溶着し、このサポート地の接着剤シートが設けられた面と上記フィットネスウエアの表地とを全面に亘って熱圧着することを特徴とするフィットネスウエアの製造方法。
【請求項５】
上記表地とサポート地とを全面熱圧着し、さらにその端面を縫い合わせることを特徴とする請求項４記載のフィットネスウエアの製造方法。
【発明の詳細な説明】
【０００１】
【発明の属する技術分野】
この発明は、体に密着して着用されるスポーツウエアや下着等を含むフィットネスウエアとその製造方法に関する。
【０００２】
【従来の技術】
【特許文献１】特開２００１−２２６８０５号公報
従来、例えば体形補整機能を有するいわゆるシェイプ水着は、水着の裏側の全面、若しくは部分的に水着の生地よりも張力の高いさまざまな種類のいわゆるパワーネットが縫い合わされていた。このパワーネットにより体表面にかかる衣服圧を高めて、サポート力を付与し、お腹、ウエスト、ヒップ、バストなどの体形を補整していた。また、特許文献１に開示されているように、生地の表面に高張力を付与する合成樹脂を印刷したものも提案されている。
【０００３】
【発明が解決しようとする課題】
上記従来の技術の前者の場合、水着の表生地とパワーネットの伸縮性が異なるため、表生地がパワーネットにフィットせずしわができることがあった。また、着用時に表地からパワーネットがはみ出してしまい、知らずに着用している場合もあり、見苦しく本人にとっては恥ずかしいものである。さらに、パワーネットが水着の表地に映ることがあり、シェイプ水着であることが外観からわかることもあった。
【０００４】
また上記従来の技術の後者の場合、生地に印刷により高張力部を形成するので、高張力部の緊締力が小さく十分なサポート効果や体形補正効果が得られないものであった。
【０００５】
この発明は、上記従来の技術の問題点に鑑みてなされたものであり、着用感が良好であり、外観に違和感がなく、確実にサポート機能が付与されるフィットネスウエアとその製造方法を提供することを目的とする。
【０００６】
【課題を解決するための手段】
この発明は、伸縮性を有し体表面に密着して着用される水着や運動用衣服、下着等のフィットネスウエアであって、上記フィットネスウエアの表地に緊締力を付加する高張力のサポート地を、合成樹脂の接着剤シートで表地全面に一体に貼り合わせて成るフィットネスウエアである。
【０００７】
上記合成樹脂の接着剤シートは、極めて薄い不織布のシートであり、上記表地とサポート地との間に積層されて、熱圧着されて成る。上記表地とサポート地とは、ナイロン同士またはポリエステル同士等、同種の合成繊維から成り、上記接着剤シートにより熱圧着されて成る。
【０００８】
またこの発明は、伸縮性を有し体表面に密着して着用されるフィットネスウエアの製造方法であって、上記フィットネスウエアのサポート地と合成樹脂の不織布から成る接着剤シートとを重ね合わせて、所定の形状にレーザー光により裁断するとともに、上記裁断したサポート地と接着剤シートの裁断端面を上記レーザー光により互いに熱溶着し、このサポート地の接着剤シートが設けられた面と上記フィットネスウエアの表地とを全面に亘って熱圧着するフィットネスウエアの製造方法である。そして、上記表地とサポート地とを全面熱圧着し、さらにその端面を縫い合わせて衣類の形状に形成するものである。
【０００９】
また、上記フィットネスウエアのサポート地と不織布の接着剤シートと表地とを重ね合わせて、これらを同時に所定の形状にレーザー光により裁断するとともに、それらの裁断端面を上記レーザー光により互いに熱溶着した後、このサポート地と上記フィットネスウエアの表地とを上記接着剤シートにより面全面に亘って熱圧着するものでもよい。
【００１０】
【発明の実施の形態】
以下、この発明の実施形態について図面に基づいて説明する。図１〜図４はこの発明の一実施形態を示すもので、この実施形態のフィットネスウエアは水着である。この水着１０は、ワンピースタイプであり、ナイロンやポリエステル等の合成繊維の編地からなる伸縮性を有する表地１２により作られている。
【００１１】
水着１０の裏面には、ウエストライン１４から上部に、保温性や着用感をよくする編地が縫いつけられている。また、ウエストライン１４の下部には、表地１２と一体に高張力性のサポート地１６が貼り付けられている。
【００１２】
サポート地１６は、いわゆるパワーネットと同様の編地であり、身体表面に緊締力を付加する高張力の生地である。サポート地１６の材質は、表地１２と同種のもので、例えば表地１２がナイロンの場合はサポート地１６もナイロンの編地であり、表地１２がポリエステルの場合はサポート地１６もポリエステルの編地である。
【００１３】
表地１２とサポート地１６とは、図３に示すように、合成樹脂製の不織布の接着剤シート１８を介して全面が一体に貼り合わされている。合成樹脂製の不織布の接着剤シート１８は、熱可塑性樹脂であるポリウレタン系樹脂を繊維状にして極めて薄い不織布に形成したものである。
【００１４】
次に、この実施形態の水着１０の製造方法について説明する。まず、サポート地１６の生地と合成樹脂の不織布から成る接着剤シート１８の生地とを重ね合わせて、所定の水着１０の形状にレーザー光により裁断する。すると、裁断したサポート地１６と接着剤シート１８の裁断端面が図４に示すように、互いにレーザー光で熱溶着した熱溶着端部２０が形成されて接合する。この状態では、裁断端面以外は接合していないが、サポート地１６と接着剤シート１８が離れることはない。次に、サポート地１６の接着剤シート１８が設けられた面と、水着１０の表地１２とを全面に亘って熱圧着により接着する。このときの接着条件は、接着剤シート１８がポリウレタン系接着剤の場合、１５０℃で３０秒、３ｋｇ／ｃｍ２の圧力で、表地１２とサポート地１６の全面を接着させる。さらに、表地１２とサポート地１６の端面は、水着１０を形成する際に互いに縫い合わせ、縫合部２２を形成する。
【００１５】
また、サポート地１６と不織布の接着剤シート１８と表地１２の３枚の生地を重ね合わせて、水着１０の形状にレーザー光により裁断し、そのレーザー光によりそれらの裁断端面が互いに熱溶着された後、表地１２とサポート地１６とを、その間の接着剤シート１８により全面を熱圧着してもよい。
【００１６】
この実施形態の水着１０によれば、緊締力を有するサポート地１６が表地１２と一体に全面接着状態で設けられ、サポート地１６がずれることがなく、着用感が良好であり、着用時のはみ出しもない。しかも、サポート地１６による高張力部が確実に身体を引き締め、体形補整や、身体サポートを確実に行うことができる。また、表地１２とサポート地１６と全面熱圧着し、さらにその端面を縫い合わせることにより、接着がより確実となり、長期の使用によりサポート地１６が表地１２から剥がれても、サポート地１６が脱落したりすることが無く、その後も使用を続けることができる。
【００１７】
なお、この発明のフィットネスウエアは、上記実施の形態に限定されず、水着以外にレオタード、体形補正用下着、タイツ、スパッツ、その他一般の下着等、その種類や用途を問わない。合成樹脂接着剤シートの材料は、上記実施形態以外にポリエステル系の接着剤やポリアミド系の接着剤でもよい。また、高張力を付与する部位や形状は適宜設定可能であり、関節や筋肉のサポート機能を重視した形状にサポート地を設けてもよく、表地の裏側以外に表地の表面の一部に貼り付けてもよい。サポート地のパターンや、厚みも自由に変えることができる。
【００１８】
【発明の効果】
この発明のフィットネスウエアは、着用したウエアの表地に対して確実に高張力を付与し、身体のサポートや体形補整機能を奏し、外観上も良好なものである。また、製造に際して、レーザー光による裁断を利用し、サポート地と接着剤シートとを同時に裁断してその端部を溶着させることにより、後の取り扱いが容易となる。また、表地とサポート地と全面熱圧着し、さらにその端面を縫い合わせることにより、接着がより確実で剥がれにくく、長期の使用にも耐え、サポート地の脱落もない。
【図面の簡単な説明】
【図１】この発明の一実施形態のフィットネスウエアの部分破断斜視図である。
【図２】この実施形態のフィットネスウエアの部分破断背面図である。
【図３】この実施形態のフィットネスウエアの生地の断面図である。
【図４】この実施形態のフィットネスウエアの生地のレーザー光による裁断状態を示す概略断面図である。
【符号の説明】
１０  水着
１２  表地
１６  サポート地
１８  接着剤シート
２０  熱溶着端部
２２  縫合部
【図１】
2004244781.tif 000003
【図２】
2004244781.tif 000004
【図３】
2004244781.tif 000005
【図４】
2004244781.tif 000006
【手続補正書】
【提出日】平成15年11月4日(2003.11.4)
【手続補正１】
【補正対象書類名】明細書
【補正対象項目名】全文
【補正方法】変更
【補正の内容】
【特許請求の範囲】
【請求項１】伸縮性を有し体表面に密着して着用されるフィットネスウエアの製造方法において、上記フィットネスウエアに貼り付けられるサポート地と接着剤シートとを重ね合わせて、所定の形状にレーザー光により裁断するとともに、上記裁断したサポート地と接着剤シートの裁断端面を上記レーザー光により互いに熱溶着し、このサポート地の接着剤シートが設けられた面と上記フィットネスウエアの表地とを上記サポート地全面に亘って熱圧着することを特徴とするフィットネスウエアの製造方法。
【請求項２】上記表地とサポート地とを全面熱圧着し、さらにその端面を縫い合わせることを特徴とする請求項１記載のフィットネスウエアの製造方法。
【請求項３】上記接着剤シートは、合成樹脂の不織布のシートであり、上記表地とサポート地との間に積層して、上記表地とサポート地を熱圧着することを特徴とする請求項１または２記載のフィットネスウエアの製造方法。
合成樹脂の不織布から成る
【請求項４】上記表地とサポート地は同種の合成繊維から成り、上記接着剤シートにより熱圧着することを特徴とする請求項１，２または３記載のフィットネスウエアの製造方法。
【発明の詳細な説明】
【０００１】
【発明の属する技術分野】
この発明は、体に密着して着用されるスポーツウエアや下着等を含むフィットネスウエアの製造方法に関する。
【０００２】
【従来の技術】
【特許文献1】特開２００１−２２６８０５号公報
従来、例えば体形補整機能を有するいわゆるシェイプ水着は、水着の裏側の全面、若しくは部分的に水着の生地よりも張力の高いさまざまな種類のいわゆるパワーネットが縫い合わされていた。このパワーネットにより体表面にかかる衣服圧を高めて、サポート力を付与し、お腹、ウエスト、ヒップ、バストなどの体形を補整していた。また、特許文献１に開示されているように、生地の表面に高張力を付与する合成樹脂を印刷したものも提案されている。
【０００３】
【発明が解決しようとする課題】
上記従来の技術の前者の場合、水着の表生地とパワーネットの伸縮性が異なるため、表生地がパワーネットにフィットせず、しわができることがあった。また、着用時に表地からパワーネットがはみ出してしまい、知らずに着用している場合もあり、見苦しく本人にとっては恥ずかしいものである。さらに、パワーネットが水着の表地に映ることがあり、シェイプ水着であることが外観からわかることもあった。
【０００４】
また上記従来の技術の後者の場合、生地に印刷により高張力部を形成するので、高張力部の緊締力が小さく十分なサポート効果や体形補正効果が得られないものであった。
【０００５】
この発明は、上記従来の技術の問題点に鑑みてなされたものであり、着用感が良好であり、外観に違和感がなく、確実にサポート機能が付与されるフィットネスウエアの製造方法を提供することを目的とする。
【０００６】
【課題を解決するための手段】
この発明は、伸縮性を有し体表面に密着して着用される水着や運動用衣服、下着等のフィットネスウエアであって、上記フィットネスウエアの表地に緊締力を付加する高張力のサポート地を、合成樹脂の接着剤シートで表地全面に一体に貼り合わせて成るフィットネスウエアの製造方法である。
【０００７】
上記合成樹脂の接着剤シートは、極めて薄い不織布のシートであり、上記表地とサポート地との間に積層されて、熱圧着されて成る。上記表地とサポート地とは、ナイロン同士またはポリエステル同士等、同種の合成繊維から成り、上記接着剤シートにより熱圧着されて成る。
【０００８】
またこの発明は、伸縮性を有し体表面に密着して着用されるフィットネスウエアの製造方法であって、上記フィットネスウエアのサポート地と合成樹脂の不織布から成る接着剤シートとを重ね合わせて、所定の形状にレーザー光により裁断するとともに、上記裁断したサポート地と接着剤シートの裁断端面を上記レーザー光により互いに熱溶着し、このサポート地の接着剤シートが設けられた面と上記フィットネスウエアの表地とを上記サポート地の全面に亘って熱圧着するフィットネスウエアの製造方法である。そして、上記表地とサポート地とを全面熱圧着し、さらにその端面を縫い合わせて衣類の形状に形成するものである。
【０００９】
また、上記フィットネスウエアのサポート地と不織布の接着剤シートと表地とを重ね合わせて、これらを同時に所定の形状にレーザー光により裁断するとともに、それらの裁断端面を上記レーザー光により互いに熱溶着した後、このサポート地と上記フィットネスウエアの表地とを上記接着剤シートにより面全面に亘って熱圧着するものでもよい。
【００１０】
【発明の実施の形態】
以下、この発明の実施形態について図面に基づいて説明する。図１〜図4はこの発明の一実施形態を示すもので、この実施形態のフィットネスウエアは水着である。この水着１０は、ワンピースタイプであり、ナイロンやポリエステル等の合成繊維の編地からなる伸縮性を有する表地１２により作られている。
【００１１】
水着１０の裏面には、ウエストライン１４から上部に、保温性や着用感をよくする編地が縫いつけられている。また、ウエストライン１４の下部には、表地１２と一体に高張力性のサポート地１６が貼り付けられている。
【００１２】
サポート地１６は、いわゆるパワーネットと同様の編地であり、身体表面に緊締力を付加する高張力の生地である。サポート地１６の材質は、表地１２と同種のもので、例えば表地１２がナイロンの場合はサポート地１６もナイロンの編地であり、表地１２がポリエステルの場合はサポート地１６もポリエステルの編地である。
【００１３】
表地１２とサポート地１６とは、図３に示すように、合成樹脂製の不織布の接着剤シート１８を介して全面が一体に貼り合わされている。合成樹脂製の不織布の接着剤シート１８は、熱可塑性樹脂であるポリウレタン系樹脂を繊維状にして極めて薄い不織布に形成したものである。
【００１４】
次に、この実施形態の水着１０の製造方法について説明する。まず、サポート地１６の生地と合成樹脂の不織布から成る接着剤シート１８の生地とを重ね合わせて、所定の水着１０の形状にレーザー光により裁断する。すると、裁断したサポート地１６と接着剤シート１８の裁断端面が図４に示すように、互いにレーザー光で熱溶着した熱溶着端部２０が形成されて接合する。この状態では、裁断端面以外は接合していないが、サポート地１６と接着剤シート１８が離れることはない。次に、サポート地１６の接着剤シート１８が設けられた面と、水着１０の表地１２とを全面に亘って熱圧着により接着する。このときの接着条件は、接着剤シート１８がポリウレタン系接着剤の場合、１５０℃で３０秒、３kg/cm2の圧力で、表地１２とサポート地1６の全面を接着させる。さらに、表地１２とサポート地1６の端面は、水着１０を形成する際に互いに縫い合わせ、縫合部２２を形成する。
【００１５】
また、サポート地１６と不織布の接着剤シート１８と表地１２の３枚の生地を重ね合わせて、水着１０の形状にレーザー光により裁断し、そのレーザー光によりそれらの裁断端面が互いに熱溶着された後、表地１２とサポート地１６とを、その間の接着剤シート１８により全面を熱圧着してもよい。
【００１６】
この実施形態の水着１０によれば、緊締力を有するサポート地１６が表地１２と一体に全面接着状態で設けられ、サポート地１６がずれることがなく、着用感が良好であり、着用時のはみ出しもない。しかも、サポート地１６による高張力部が確実に身体を引き締め、体形補整や、身体サポートを確実に行うことができる。また、表地１２とサポート地１６と全面熱圧着し、さらにその端面を縫い合わせることにより、接着がより確実となり、長期の使用によりサポート地１６が表地１２から剥がれても、サポート地１６が脱落したりすることが無く、その後も使用を続けることができる。
【００１７】
なお、この発明のフィットネスウエアは、上記実施の形態に限定されず、水着以外にレオタード、体形補正用下着、タイツ、スパッツ、その他一般の下着等、その種類や用途を問わない。合成樹脂接着剤シートの材料は、上記実施形態以外にポリエステル系の接着剤やポリアミド系の接着剤でもよい。また、高張力を付与する部位や形状は適宜設定可能であり、関節や筋肉のサポート機能を重視した形状にサポート地を設けてもよく、表地の裏側以外に表地の表面の一部に貼り付けてもよい。サポート地のパターンや、厚みも自由に変えることができる。
【００１８】
【発明の効果】
この発明のフィットネスウエアは、着用したウエアの表地に対して確実に高張力を付与し、身体のサポートや体形補整機能を奏し、外観上も良好なものである。また、製造に際して、レーザー光による裁断を利用し、サポート地と接着剤シートとを同時に裁断してその端部を溶着させることにより、後の取り扱いが容易となる。また、表地とサポート地とを全面熱圧着し、さらにその端面を縫い合わせることにより、接着がより確実で剥がれにくく、長期の使用にも耐え、サポート地の脱落もない。
【図面の簡単な説明】
【図１】この発明の一実施形態のフィットネスウエアの部分破断斜視図である。
【図２】この実施形態のフィットネスウエアの部分破断背面図である。
【図３】この実施形態のフィットネスウエアの生地の断面図である。
【図４】この実施形態のフィットネスウエアの生地のレーザー光による裁断状態を示す概略断面図である。
【符号の説明】
１０  水着
１２  表地
１６  サポート地
１８  接着剤シート
２０  熱溶着端部
２２  縫合部